(57)【特許請求の範囲】
【請求項１】
基部から二股状にアームを突き出した第１部材と、基部から同様に二股状にアームを突き出し前記第１部材に内挿または外挿される第２部材とを相互に回転可能に連接し、前記第１部材の一方のアームには斜めに外に突き出したガイドを設けるとともに前記ガイドの近傍にロック孔を開け、前記第２部材には前記ガイドに案内されて前記ロック孔に嵌入可能なロックピンを備え、前記ロックピンは前記ロック孔方向に付勢するコイルスプリングに連接されるとともに操作用の操作レバーを備え、更に前記第２部材の一方のアームの外壁には前記ロックピンをロック及び解除するための山形のカムを設け、前記カムに前記操作レバーを摺動可能に連接している折り畳み式ジョイント金具であって、
前記ロックピンには前記第２部材のアームの内部に位置する部分に作動ピンを半径方向に突き出して設け、前記第１部材には前記作動ピンに係合する係合爪を設け、前記第１部材と第２部材を折り曲げまたはロックするとき前記作動ピンが前記係合爪に係合して、前記山形のカムの底部に前記操作レバーが当接可能としたことを特徴とする折り畳み式ジョイント金具。
【請求項２】
前記ロックピンによるロックとロック解除を前記操作レバーの回動角度によって表示する表示機構を備えていることを特徴とする請求項１記載の折り畳み式ジョイント金具。
【発明の詳細な説明】
【０００１】
【発明の属する技術分野】
本発明は、たとえば梯子，脚立，足場台，足場板，手すり，受梁等の構造物に使用できるようにした折り畳み式のジョイント金具に関する。
【０００２】
【従来の技術】
折り畳み式の梯子や脚立には、支柱部材どうしを屈曲自在に連接するためのジョイント金具が付帯される。このジョイント金具は、一方の支柱部材とこれに接続する他方の支柱部材のそれぞれに金具を連結固定するとともに、金具どうしをピンを介して回転自在に連接したものである。そして、支柱を折れ曲がった状態から直線状に伸ばしたときにロックするためのロック機構が備えられる。このロック機構としては、一方の支柱部材の内面または外面に回転自在なロックプレートを備え、他方の支柱にはロックプレートが係合可能なピンを設けるというものが従来から使用されている。このようなジョイント金具を備える梯子や脚立では、ジョイント金具により支柱部材を折り畳むことができるので、梯子や脚立を小さくして運搬したり保管したりすることができる。
【０００３】
【発明が解決しようとする課題】
ところが、従来のジョイント金具ではロックプレートを手で回してから金具どうしを連結する作業となるので、梯子や脚立の組立及び折り畳みが面倒である。また、梯子の背面側に人が載るときには、折り畳み方向に負荷が加わるので、従来のロックプレートではこの負荷に耐えきれずに梯子が折りたたまれてしまい非常に危険である。
【０００４】
このように、従来の梯子や脚立及びその他の折り畳み構造物では、ロック及びその解除操作が面倒であるほか、梯子等の場合には人が折り畳み方向きに載った場合には、支柱が折り畳まれ不安定で危険な状態になるという問題がある。
【０００５】
そこで、本発明は、簡単にロック及びその解除ができるとともに人が載る方向に関係なく安全に使用できる梯子等用の折り畳み式ジョイント金具を提供することを目的とする。
【０００６】
【課題を解決するための手段】
本発明は、基部から二股状にアームを突き出した第１部材と、基部から同様に二股状にアームを突き出し前記第１部材に内挿または外挿される第２部材とを相互に回転可能に連接し、前記第１部材の一方のアームには斜めに外に突き出したガイドを設けるとともに前記ガイドの近傍にロック孔を開け、前記第２部材には前記ガイドに案内されて前記ロック孔に嵌入可能なロックピンを備え、前記ロックピンは前記ロック孔方向に付勢するコイルスプリングに連接されるとともに操作用の操作レバーを備え、更に前記第２部材の一方のアームの外壁には前記ロックピンをロック及び解除するための山形のカムを設け、前記カムに前記操作レバーを摺動可能に連接している折り畳み式ジョイント金具であって、前記ロックピンには前記第２部材のアームの内部に位置する部分に作動ピンを半径方向に突き出して設け、前記第１部材には前記作動ピンに係合する係合爪を設け、前記第１部材と第２部材を折り曲げまたはロックするとき前記作動ピンが前記係合爪に係合して、前記山形のカムの底部に前記操作レバーが当接可能としたことを特徴とする。
【０００８】
また、前記ロックピンによるロックとロック解除を前記操作レバーの回動角度によって表示する表示機構を備えた構成としてもよい。
【０００９】
【発明の実施の形態】
本発明では、第１部材のアームに設けたガイドによりコイルスプリングの付勢力に抗してロックピンを圧下することによりロックピンをガイドの近傍のロック孔に差し込んでロックすることができる。また、操作用の操作レバーを回転させて山形のカムの頂点部分に操作レバーを移動させると、ロックピンがロック孔から抜け出てロックが解除される。
【００１０】
また、ロック解除時には係合爪に作動ピンが係合するので、第１部材と第２部材を折り曲げてロックを解除するときには作動ピンを介してロックピンを回転させることができる。このため、ロックピンをカムに倣わせて移動させることができ、確実なロック解除が可能となる。そして、ロックする場合に作動ピンが係合爪に係合していても係合爪の回動によって作動ピンを介してロックピンをロック孔に差し込むことができる。
【００１１】
【実施例】
以下、本発明の実施例を図面に基づいて説明する。
【００１２】
図１は本発明の折り畳み式のジョイント金具によって連接された梯子の例であって、（ａ）左側面図、（ｂ）は正面図、（ｃ）は折り畳んだときの左側面図である。
【００１３】
図において、梯子は左右に支柱５１，５２，５３を配置したもので、支柱５１と支柱５２との間及び支柱５２と支柱５３との間をそれぞれジョイント金具１によって連接されている。ジョイント金具１は後述するように２部材から構成されたもので、これらの部材を同図（ａ）に示すように縦方向の配列としてロックすることにより梯子が形成される。また、ジョイント金具１のロックを解除することにより、同図（ｃ）に示すように支柱５１，５２，５３を三段重ねに折り畳むことができる。
【００１４】
図２は図１において右配置の支柱５１，５２の間に配置されるジョイント金具１の分解斜視図、図３は組立てたときの斜視図、図４は図３と反対側から見たときの斜視図、図５はロック状態を示す斜視図である。
【００１５】
ジョイント金具１は下段の支柱５１の上端にリベット５１ａで固定される金属製の第１部材２と、上段側の支柱５２の下端にリベット５２ａ固定される金属製の第２部材とから構成されたものである。
【００１６】
第１部材２は基部２ａから２本のアーム２ｂ，２ｃを突き出したものであり、これらのアーム２ｂ，２ｃの先端部にはボルト４を通すための挿通孔２ｄ，２ｅを開けている。そして、一方のアーム２ｂの基部２ａ側にはロック孔２ｆを開けるとともに基部２ａの上端に係合爪２ｇを形成している。また、ロック孔２ｆの上方であってアーム２ｂの上端には外側に向け斜めに傾斜させたガイド２ｈを形成している。
【００１７】
第２部材３は基部３ａから同様に２本のアーム３ｂ，３ｃを突き出したものであり、これらのアーム３ｂ，３ｃの先端には第１部材２の挿通孔２ｄ，２ｅに整合してボルト４を通すための挿通孔３ｄ，３ｅを開けている。そして、アーム３ｂ，３ｃの基部側３ａにはロックピン５を移動可能に差し通す孔３ｆ，３ｇを設けている。
【００１８】
第１部材２と第２部材は３、それぞれの挿通孔２ｄ，２ｅ，３ｄ，３ｅを整合させて、図２及び図３に示すように、ボルト４を通すことにより互いに回動自在に一体化される。すなわち、挿通孔２ｄ，２ｅ，３ｄ，３ｅにカラー４ａ（図３参照）を外挿したボルト４を通すとともに、このボルト４にナット４ｂを螺合すことにより、ボルト４の軸線周りに第１部材２と第２部材３を回転自在に連接する。
【００１９】
ロックピン５は操作レバー５ａを連結するとともにその軸線と直交する向きに作動ピン６を一体化したものである。このロックピン５は図３に示すように、第２部材３のアーム３ｂ，３ｃの孔３ｆ，３ｇを貫通して配置され、座金７を作動ピン６に突き当てるとともにこの座金７とアーム３ｃの内壁との間に圧縮のコイルスプリング８を介装している。また、アーム３ｃの外表面側であって孔３ｇと同軸上にカム９が固定されている。このカム９は山形状としたもので、操作レバー５ａの基端部がカム９の山形状部分に倣って移動可能としている。
【００２０】
図６は第１部材２と第２部材３とをロックする直前の状態を示す例であって、（ａ）は正面図、（ｂ）は（ａ）の右側面図、（ｃ）は（ａ）のＡ−Ａ線矢視による断面図である。
【００２１】
図３及び図４の状態から支柱５１，５２が直線状に並ぶように開いていくと、図６の（ｂ）及び（ｃ）に示すようにガイド２ｈがロックピン５の先端に被さるようになる。このとき、ガイド２ｈはロックピン５に相対して固定された状態に保たれているので、ガイド２ｈの傾斜によってロックピン５は図６の（ｂ）において左側及び図６の（ｃ）において下側に押される。このように、支柱５１，５２が直線状に並ぶ姿勢となるように第１部材２と第２部材３を相互に回転させることにより、ロックピン５をガイド２ｈが圧下して第２部材３のアーム３ｂの表面からの突き出し長さが短くなっていく。
【００２２】
支柱５１，５２を更に開いて直線状にしていくと、図７に示す状態になる。図７の（ａ）はジョイント金具１によって支柱５１，５２が連結された状態を示す正面図、（ｂ）は（ａ）の右側面図、（ｃ）は（ａ）のＢ―Ｂ線矢視による断面図である。
【００２３】
第１部材２と第２部材３の相互の回動によって、ガイド２ｈの傾斜によって圧下されいたロックピン５のテーパ状の先端部は第２部材３のアーム３ｂの下に潜り込む。そして、ロックピン５と第１部材のロック孔２ｆが整合すると、図７の（ｃ）に示すようにロックピン５がコイルスプリング８の付勢力によってロック孔２ｆの中に入り込む。これにより、第１部材２と第２部材３が一体にロックされ、図５で示したように支柱５１，５２の直線状に連結固定することができる。このロックの状態では、操作レバー５ａはカム９が第２部材３のアーム３ｃから突き出る長さが最も短い部分に位置し、コイルスプリング８は最大長さ伸長している。
【００２４】
ロックを解除するときは、図７の姿勢にある操作レバー５ａを図８に示すように時計方向に回す。この操作レバー５ａの回動により操作レバー５ａは、第２部材３のアーム３ｃから突き出ているカム９の最も低い部分から最も高い部分に移動する。これにより、図８の（ｃ）に示すように操作レバー５ａに一体となっているロックピン５が下に移動すると同時にコイルスプリング８を収縮させる。このような操作レバー５ａの回動操作により、ロックピン５は図８の（ｃ）に示すように、ロック孔２ｆから抜け出る。したがって、支柱５１，５２を折り曲げるようにすると、ロック時前と同様に図６の状態となりロックピン５の先端を第２部材のアーム３ｂの内面を滑らせながら移動させることができる。これにより、図３及び図４示すように支柱５１，５２を折り畳むことができる。
【００２５】
ここで、図７のロック状態から解除して図６のように折り曲げるときには、ロックピン５の先端が第２部材３のアーム３ｂの内面を摺動していくので、コイルスプリング８は収縮する。一方、解除したときにはロックピン５の先端はアーム３ｂの上面よりも突き出す位置に復帰しなければならない。この復帰はコイルスプリング８の復元力を利用することができるが、操作レバー５ａがカム９の上面に強い力で載っているので、これらの操作レバー５ａとカム９の摩擦力がコイルスプリング８の復元力よりも勝る場合が多い。このため、コイルスプリング８の復元力だけではロックピン５をその復帰位置に戻すことができない。
【００２６】
これに対し、図９に示すように、ロック解除する前の段階で作動ピン６が係合爪２ｇの下側に係合できるように設定可能な構成とする。このような構成であれば、支柱５１，５２を図中の矢印方向に折り曲げていくとき、作動ピン６は係合爪２ｇに係合しているので強制的に反時計方向に回動させられる。したがって、ロック時には操作レバー５ａがカム９の最も高い位置に載っていたのが、操作レバー５ａの反時計方向への回動によりカム９の低い側に移動する。このように操作レバー５ａをカム９の低い位置に移動させることにより、コイルスプリング８の復元によりロックピン５を復帰位置に戻すことができる。
【００２７】
また、図６の解除状態から図７のロック状態に移行するときには、図１０に示すように作動ピン６が係合爪２ｇの上端に係合する場合がある。このときでも、支柱５１，５２を図中の矢印方向に回動させていくことで、作動ピン６を時計方向に矯正的に回動させることができる。このため、カム９に接触している操作レバー５ａを回転させることができるので、操作レバー５ａと一体になっているロックピン５を図７の状態に設定することができ、ロックピン５によるロックが可能となる。
【００２８】
このように作動ピン６を設けたことにより、ロック解除とロックの両方の操作においてロックピン５を所定の位置に設定することができる。したがって、操作レバー５ａの回動角度が様々であっても、ロック時と解除時の操作を確実に行うことができる。
【００２９】
図１１はロック状態及び解除状態を表示する例を示す図である。
【００３０】
図において、第１部材２のアーム２ｃには窓２０を開けるとともに、第２部材３のアーム３ｃには青色領域３０と赤色領域３１の色分けを施している。同図（ａ）に示すようにロック状態のときには青色領域３０が窓２０から臨むようにするとともに、解除状態のときには同図（ｂ）に示すように赤色領域３１が窓２０に臨むようにする。このように窓２０を設けるとともに青色及び赤色の領域３０，３１を施すことにより目視によってロック状態か解除状態かを簡単に知ることができる。
【００３１】
図１２はロック状態及び解除状態を表示する別の例を示す図である。
【００３２】
この例では、第１部材２のアーム２ｃの外表面にロック領域表示部４１と解除領域表示部４２が形成されている。操作レバー５ａが同図（ａ）に示すようロック領域表示部４１内に含まれていると第１部材２と第２部材３とがロックされていることを知ることができる。また、操作レバー５ａが同図（ｂ）に示すように解除領域表示部４２に含まれていれば、ロック解除状態であることを知ることができる。
【００３３】
なお、実施例では梯子について説明したが、この他にも脚立，足場台，足場板，手摺り，受梁等の構造物についても本発明の折り畳み式ジョイント金具を利用することができる。
【００３４】
【発明の効果】
請求項１の発明では、第１部材と第２部材の回動によってロックピンがガイドに案内されてロック孔に嵌入させることができ、ワンタッチ操作でジョイント金具をロックすることができる。また、連結強度を安定させることができるので、梯子等に利用した場合に梯子の裏面側に人が載っても接続部分が折れ曲がることがなく安全に使用できる。
【００３５】
また、ロックピンを解除するときに作動ピンが第１部材の係合爪に係合して作動ピンを介してロックピンが回転するので、コイルスプリングを初期状態に復帰させることができ、連続した操作が可能となる。
【００３６】
請求項２の発明では、操作レバーの回動角度等によってロックまたはロック解除を目視で確認できより一層安全に使用できる。
【図面の簡単な説明】
【図１】  本発明の折り畳み式ジョイント金具を備えた梯子の例であって、（ａ）は左側面図、（ｂ）は正面図、（ｂ）は梯子を折り畳んだ状態を示す左側面図。
【図２】  ジョイント金具を支柱とともに示す分解斜視図。
【図３】  ジョイント金具に支柱を連結した状態を示す斜視図。
【図４】  図３を逆の方向から見た斜視図。
【図５】  支柱を直線状にしてロックした状態を示す斜視図。
【図６】  ジョイント金具をロックする直前（直後）の状態を示す図であって、（ａ）は正面図、（ｂ）は（ａ）の右側面図、（ｃ）は（ａ）のＡ−Ａ線矢視による断面図。
【図７】  ジョイント金具をロックした状態を示す図であって、（ａ）は正面図、（ｂ）は（ａ）の右側面図、（ｃ）は（ａ）のＢ−Ｂ線矢視による断面図。
【図８】  ジョイント金具のロックを解除した状態を示す図であって、（ａ）は正面図、（ｂ）は（ａ）の右側面図、（ｃ）は（ａ）のＣ―Ｃ線矢視による断面図。
【図９】  ロック解除時の係合爪に対する作動ピンの位置関係を示す図であって、（ａ）は平面図、（ｂ）は要部の縦断面図。
【図１０】  ロック時の係合爪に対する作動ピンの位置関係を示す図であって、（ａ）は平面図、（ｂ）は要部の縦断面図。
【図１１】  ジョイント金具にロック及び解除の表示を設ける例であって、（ａ）はロック時を示す正面図、（ｂ）は解除時を示す正面図。
【図１２】  ジョイント金具にロック及び解除の表示を設ける別の例であって、（ａ）はロック時を示す正面図、（ｂ）は解除時を示す正面図。
【符号の説明】
１  ジョイント金具
２  第１部材
２ａ  基部
２ｂ，２ｃ  アーム
２ｄ，２ｅ  挿通孔
２ｆ  ロック孔
２ｇ  係合爪
２ｈ  ガイド
３  第２部材
３ａ  基部
３ｂ，３ｃ  アーム
３ｄ，３ｅ  挿通孔
３ｆ，３ｇ  孔
４  ボルト
４ａ  カラー
４ｂ  ナット
５  ロックピン
５ａ  操作レバー
６  作動ピン
７  座金
８  コイルスプリング
９  カム
２０  窓
３０  青色領域
３１  赤色領域
４１  ロック領域表示部
４２  解除領域表示部
【図１】
0004741123.tif 000002
【図２】
0004741123.tif 000003
【図３】
0004741123.tif 000004
【図４】
0004741123.tif 000005
【図５】
0004741123.tif 000006
【図６】
0004741123.tif 000007
【図７】
0004741123.tif 000008
【図８】
0004741123.tif 000009
【図９】
0004741123.tif 000010
【図１０】
0004741123.tif 000011
【図１１】
0004741123.tif 000012
【図１２】
0004741123.tif 000013